(57)【要約】【課題】本発明は、内燃機関において、吸排気弁の開弁初期に充分な開弁力を発生でき、吸排気弁が迅速に開閉でき、吸排気弁の着座衝突が緩和でき、吸排気弁のリフト量が制御でき、小型であることを同時に満足できる技術を提供する。【解決手段】吸排気弁の開弁に必要な力を小さな流体駆動源を使用して作動油の充填によって開弁バネに弾性エネルギとして蓄積させる。その後、電磁駆動装置を用いて、前記弾性エネルギを放出させる、あるいはその放出を停止させることによって、高い弁動作速度を実現しながら、任意のタイミングにおいて、任意のリフトで吸排気弁を開閉する。また、前記作動油の排出速度を制御することによって弁着座速度を制御し、閉弁時の弁と弁座の衝突を緩和する。さらに、本発明は、大電流ソレノイドあるいは大流量ポンプは必要としないので、バルブ駆動機構の小型化ができる。【選択図】  図２
2004263582.tif 000002
【特許請求の範囲】
【請求項１】
内燃機関の吸気弁または排気弁を駆動する弁駆動装置において、
内部にシリンダを構成した弁本体を備え、該シリンダ内に流体圧室が形成されて該流体圧室を挟んで該流体圧室を中にして配置された、シリンダ内を摺動するプランジャーを有し、前記流体圧室の体積を増減させる流体駆動源及び弁装置を備え、前記流体圧室の体積が増加するときに、プランジャーの摺動に伴ってエネルギが蓄勢させるエネルギ蓄勢装置を備え、蓄勢されたエネルギを前記弁装置を介して開放させる指示を付与する制御装置を備え、当該指示がなされたときに、エネルギ蓄勢装置に蓄勢されたエネルギによってプランジャーが摺動され、これに伴って間接もしくは直接に前記吸気弁または排気弁の開動作が行われること
を特徴とする内燃機関の弁駆動装置。
【請求項２】
内燃機関の吸気弁または排気弁を駆動する弁駆動装置において、
内部にシリンダを構成した弁本体を備え、該シリンダ内に流体圧室が形成されて該流体圧室を挟んで該流体圧室を中にして対向配置された、シリンダ内を摺動する一方側のプランジャーと、シリンダ内を摺動し、前記吸気弁または排気弁に向って配設され、前記吸気弁または排気弁の弁開閉動作を行う他方側のプランジャーとを有し、前記流体圧室の体積を増減させる流体駆動源及び弁装置を備え、前記流体圧室の体積が増加するときに、一方側のプランジャーの摺動に伴ってエネルギが蓄勢させるエネルギ蓄勢装置を備え、蓄勢されたエネルギを前記弁装置を介して開放させる指示を付与する制御装置を備え、当該指示がなされたときに、エネルギ蓄勢装置に蓄勢されたエネルギによって一方側のプランジャーが摺動され、これに伴って間接もしくは直接に他方側のプランジャーが駆動されて、前記吸気弁または排気弁の開動作が行われること
を特徴とする内燃機関の弁駆動装置。
【請求項３】
請求項２において、前記エネルギ蓄勢装置は、蓄勢弾性体とプランジャー保持装置とからなることを特徴とする内燃機関の弁駆動装置。
【請求項４】
請求項３において、前記弁装置によって前記流体圧室の体積が減少させられて一方側のプランジャーが摺動し、前記流体駆動源及び弁駆動装置によって前記流体圧室の体積が増加されて前記プランジャー保持装置によって一方側のプランジャーが保持されると、前記弁装置によって前記流体圧室内の体積が減少し、他方側のプランジャーが該他方側のプランジャーに作用する他の蓄勢弾性体の蓄勢エネルギによって摺動され、以って前記吸気弁あるいは排気弁の閉動作が行われることを特徴とする内燃機関の弁駆動装置。
【請求項５】
内燃機関の吸気弁または排気弁を駆動する弁駆動装置において、
内部にシリンダを構成した弁本体を備え、該シリンダ内に流体圧室が形成されて該流体圧室を挟んで配置された、シリンダ内を摺動する一方側のプランジャーと、シリンダ内を摺動し、前記吸気弁または排気弁に接続された他方側のプランジャーとを有し、前記流体圧室の体積を増減させる流体駆動源及び弁装置を備え、個別の二つの蓄勢弾性体と、双方のプランジャーをそれぞれ所定の位置に停止させ、それぞれのプランジャーの停止を解除させる個別の二つのプランジャー保持装置とを有し、プランジャー保持装置がそれぞれ蓄勢弾性体に組み合わされたエネルギ蓄勢装置を備え、該エネルギ蓄勢装置は、前記流体圧室の体積が増加するときに、一方側のプランジャーの摺動に伴ってエネルギを一方の蓄勢弾性体に蓄勢すると共に、一時エネルギを保持し、一方のプランジャー保持装置によるプランジャーの停止解除がなされたときに、一方の蓄勢弾性体に蓄勢されたエネルギによって一方側のプランジャーが摺動され、これに伴って間接もしくは直接に他方側のプランジャーが駆動されて、前記吸気弁または排気弁の開動作が行われ、かつ他方の蓄勢弾性体にエネルギが蓄勢されること
を特徴とする内燃機関の弁駆動装置。
【請求項６】
請求項５において、他方側のプランジャーに組み合わされたプランジャー保持装置は、複数の保持位置を設置し、その内の１つに一方側のプランジャーもしくは他方側のプランジャーを保持することを特徴とする内燃機関の弁駆動装置。
【請求項７】
内燃機関の吸気弁または排気弁を駆動する弁駆動装置において、
内部にシリンダを構成した弁本体を備え、該シリンダ内に流体圧室が形成されて該流体圧室を挟んで配置された、シリンダ内を摺動する一方側のプランジャーと、シリンダ内を摺動し、前記吸気弁または排気弁に接続された他方側のプランジャーとを有し、前記流体圧室の体積を増減させる流体駆動源および弁装置とを備え、前記流体圧室の体積が増加したときに、一方側のプランジャーの摺動に伴ってエネルギが蓄勢させるエネルギ蓄勢装置を備え、蓄勢されたエネルギを開放させる指示を付与する制御装置を備え、当該指示がなされたときに、前記流体駆動原及び弁装置並びにエネルギ蓄勢装置によって蓄勢されたエネルギを間接もしくは直接的に他方側のプランジャーに作用させて前期に吸気もしくは排気弁を急峻開動作させ、かつ後期に前記弁装置による前記流体圧室または体積減少の速度の制御を行うことによって緩慢開動作させること
を特徴とする内燃機関の弁駆動装置。
【請求項８】
内燃機関の吸気弁または排気弁を駆動する弁駆動装置において、
内部にシリンダを構成した弁本体を備え、該シリンダ内に連絡路によって連通される二つの流体圧室が形成されて該流体圧室を挟んで該流体圧室を中にして配置された、シリンダ内を摺動する一方側のプランジャーと、シリンダ内を摺動し、前記吸気弁または排気弁に接続された他方側のプランジャーとを有し、前記流体圧室の体積を増減させる流体駆動源及び弁装置を備え、一方の流体圧室の体積が増加するときに、一方側のプランジャーの摺動に伴ってエネルギが蓄勢させるエネルギ蓄勢装置を備え、蓄勢されたエネルギを開放させる指示を付与する制御装置を備え、当該指示がなされたときに、エネルギ蓄勢装置に蓄勢されたエネルギによって一方側のプランジャーが摺動され、これに伴って間接もしくは直接に他方側のプランジャーが駆動されて、前記吸気弁または排気弁の開動作が行われ、前記一方の流体圧室と前記連絡路と開口度合が徐々に閉じられるようにされたこと
を特徴とする内燃機関の弁駆動装置。
【請求項９】
内燃機関の吸気弁または排気弁を駆動する弁駆動装置において、
内部にシリンダを構成した弁本体を備え、該シリンダ内に連絡路によって連通される二つの流体圧室が形成されて該流体圧室を挟んで該流体圧室を中にして配置された、シリンダ内を摺動する一方側のプランジャーと、シリンダ内を摺動し、前記吸気弁または排気弁に接続された他方側のプランジャーとを有し、前記流体圧室の体積を増減させる流体駆動源及び弁装置を備え、一方の流体圧室の体積が増加するときに、一方側のプランジャーの摺動に伴ってエネルギが蓄勢させるエネルギ蓄勢装置を備え、蓄勢されたエネルギを任意の指定されたタイミングに放出および放出を停止させる蓄勢保持装置を備え、流体の流入量または流出量を制御することによってリフト量を任意に制御すること
を特徴とする内燃機関の弁駆動装置。
【請求項１０】
請求項１から９のいずれかにおいて、流体駆動源は流体ポンプであり、複数の弁駆動装置についての単一の流体駆動源であることを特徴とする内燃機関の弁駆動装置。
【発明の詳細な説明】
【０００１】
【発明の属する技術分野】
本発明は、内燃機関の吸気弁または排気弁を駆動する弁駆動装置に関する。
【０００２】
【従来の技術】
従来、内燃機関の吸気および排気弁はカムの回転によって開閉するので、開閉の時期が固定である。任意の運転状況において、高い熱効率と清浄な排気を維持するために、機関の負荷変化や回転速度変化に応じて吸排気弁の開閉時期を可変することが要求される。このような可変弁開閉時期の機能を有する弁駆動システムを提供しようとして、電磁駆動弁や油圧駆動弁が考案されている。例えば、特許文献１あるいは特許文献２には電磁駆動吸排気弁が提示され、非特許文献１には油圧駆動吸排気弁のシステムが示されている。
【０００３】
前述した特許文献１には、電磁アクチュエータにより吸排気ポートを開閉する弁（バルブ）を動かし、かつ弁を開閉する付勢力を与えるコイルバネを取りつけた内燃機関用弁開閉機構であって、電磁アクチュエータは、ステータとコイルから構成される一対の電磁石を隙間Ｓを設けて対向させ、この隙間Ｓにアーマチャを配設し、前記両電磁石によって前記アーマチャを、一方の電磁石と他方の電磁石の間で往復動自在とし、前記アーマチャの一方の電磁石への移動を外部に伝達するための第１ステムを前記アーマチャの移動側の面に設けたものであり、この電磁アクチュエータを内燃機関本体に固定のハウジングに収納して、上記アーマチャを一方の電磁石の方に移動させることにより、上記第１ステムが上記弁を動かして開弁操作を行うようにすると共に、その弁にリテイナーを設けて、このリテイナーと内燃機関本体との間に弁を開弁方向に付勢する第１戻しコイルバネを取りつけ、第２ステムを、上記第２ステムを設けた上記アーマチャの面と反対側の面に設けると共に、この第２ステムにリテイナーを設け、そのリテイナーと上記ハウジングとの間に、前記第２ステムが上記アーマチャを押す方向の付勢力を与える第２戻しコイルバネを取りつけた構成が記載されている。
【０００４】
特許文献３には、作動油供給装置に供給される作動油によって吸気弁または排気弁を駆動することが記載されている。
特許文献４には、非対称双安定型液圧駆動器構成が記載されている。
【０００５】
特許文献５には、内燃機関の吸気用または排気用のバルブと機械的に結合される可動子と、前記弁を開くために前記可動子を吸引する開電磁石と、前記弁を閉じるために前記可動子を吸引する閉電磁石と、前記可動子に弁を開閉する方向の力を作用させる第１バネおよび第２バネと、前記第１バネを支持する第１バネ支持部材と、前記第２バネを支持する第２バネ支持部材とを備えた弁駆動装置において、前記開電磁石と前記閉電磁石のいずれか一方または両方を前記弁の開閉方向に移動可能にした弁駆動装置が記載されている。
【０００６】
【特許文献１】
特開２００２−０３８９１２号公報
【特許文献２】
特開平６−２９９８１８号公報
【特許文献３】
特開２００１−２８０１０９号公報
【特許文献４】
特開平６−００２５１４号公報
【特許文献５】
特開平１０−０８９０２９号公報
【非特許文献１】
ＳＡＥ  ＰＡＰＥＲ  Ｎｏ．２００２−０１−０４２２
【０００７】
【発明が解決しようとする課題】
吸気もしくは排気弁、すなわち吸（排）気弁（弁）の駆動装置に要求される性能としては次のようなものがある。
（１）迅速な開閉
内燃機関の吸気または排気は非常に短い時間内に完了しなければならない。特に、機関が高速で運転するとき、吸気弁の開く速度が遅ければ、吸気効率が悪化し、機関の性能は低下する。従って、弁の開閉速度は速いほうが望ましい。
（２）開弁初期に必要とされる大きい駆動力
弁開閉時期にシリンダ内のガス圧力は機関の設計や運転条件によるが、０．２〜０．５ＭＰａのガス圧力は弁の表面に作用している。排気弁を開こうとするとき、上記ガス圧力と弁表面積の乗積で計算される力に打勝つ駆動力が必要となる。この力と上記高速に弁を駆動する場合、弁本体と駆動装置の運動部分の質量を加速するための力を合せて、開弁初期にかなり大きな駆動力が必要となる。開弁後期になると、シリンダ内のガス圧力がガスの排出に伴って低下し、加速度も減るので、それほど大きな駆動力は必要としない。
（３）弁のソフトな着座
吸排気弁が着座するとき、弁およびバルブシート摩耗の低減のために、同時に、騒音発生の抑制のために、弁とバルブシートの衝突を緩和しなければならない。すなわち、ソフトな着座を必要とする。
（４）弁のリフト量の制御
アイドリング運転など吸気量の制御を必要とするときや、ＥＧＲ（排気ガス再循環）を用いて燃焼や排気を制御する場合、弁リフト量を可変させる必要がある。
【０００８】
上記のような弁駆動システムに対する性能的要求に、従来の技術は全て満足させることはできない。例えば、電磁駆動装置は、構造上開弁初期に、吸引力をもっとも必要とするにもかかわらず、固定子とアーマチャ間のすき間が大きいので大きな吸引力を発生することが困難である。逆に開弁後期に、上記すき間は小さくなり、吸引力は開弁終了直前に最大値となる。これは内燃機関の弁開閉に必要とする力の需給と逆となり、開弁初期に非常に大きな電流を供給することによって必要な吸引力が確保できるものの、合理的な構造とは言い難い。また、開弁後期の吸引力増大によって弁が着座する際の衝突力が増大する。
このような衝突を緩和するために、緩和材料を用いる例も見られるが、内燃機関の一般的なライフに耐えられる緩和材料は少ない。
【０００９】
従来の弁駆動装置には、二つの磁石を直列させて配置し、開弁初期の固定子とアーマチャのすき間を小さくすることによって吸引力の増大を図っているものがある。しかし、このタイプの電磁石のアーマチャには永久磁石しか使用できず、排気弁を駆動する場合、運転中に高温になる排気弁のステムからの熱伝導によって高温になり、性能が低下するおそれがある。また上記の例の装置のいずれもリフト量の制御は困難である。
油圧弁駆動装置は、弁のリフト量と着座速度の制御は容易である。しかし、弁を高速に動作させるために、作動油を高速に駆動部に注入しなければならない。このため、流動損失が増大し、装置もかなり大きくなり、実用化が難しい。
【００１０】
本発明は、かかる点に鑑み、小さな駆動源を使用して、かつ小さな駆動源で充分であり、吸気弁または排気弁の開弁初期に大きい駆動力を発生させて開弁を急峻動作させ得る制御の容易な内燃機関の吸気弁または排気弁を駆動する駆動装置を提供することを目的とする。
【００１１】
本発明は、上述の従来技術における問題点の解決を狙い、小さな駆動源による駆動力と開閉弁に必要な力が調和した駆動力の供給、迅速なバルブ開閉、制御できる着座速度、制御できるリフト量、高温の排気弁にも有効に適用できる内燃機関の吸気弁または排気弁を駆動する駆動装置を提供することを目的とする。
【００１２】
【課題を解決するための手段】
本発明は、内燃機関の吸気弁または排気弁を駆動する弁駆動装置において、内部にシリンダを構成した弁本体を備え、該シリンダ内に流体圧室が形成されて該流体圧室を挟んで該流体圧室を中にして配置された、シリンダ内を摺動するプランジャーを有し、前記流体圧室の体積を増減させる流体駆動源及び弁装置を備え、前記流体圧室の体積が増加するときに、プランジャーの摺動に伴ってエネルギが蓄勢させるエネルギ蓄勢装置を備え、蓄勢されたエネルギを前記弁装置を介して開放させる指示を付与する制御装置を備え、当該指示がなされたときに、エネルギ蓄勢装置に蓄勢されたエネルギによってプランジャーが摺動され、これに伴って間接もしくは直接に前記吸気弁または排気弁の開動作が行われる内燃機関の弁駆動装置を提供する。
【００１３】
本発明は、内燃機関の吸気弁または排気弁を駆動する弁駆動装置において、内部にシリンダを構成した弁本体を備え、該シリンダ内に流体圧室が形成されて該流体圧室を挟んで該流体圧室を中にして、例えば対向配置された、シリンダ内を摺動する一方側のプランジャーと、シリンダ内を摺動し、前記吸気弁または排気弁に向って配設され、前記吸気弁または排気弁の弁開閉動を行う他方側のプランジャーとを有し、前記流体圧室の体積を増減させる流体駆動源及び弁装置を備え、前記流体圧室の体積が増加するときに、一方側のプランジャーの摺動に伴ってエネルギが蓄勢させるエネルギ蓄勢装置を備え、蓄勢されたエネルギを前記弁装置を介して開放させる指示を付与する制御装置を備え、当該指示がなされたときに、エネルギ蓄勢装置に蓄勢されたエネルギによって一方側のプランジャーが摺動され、これに伴って間接もしくは直接に他方側のプランジャーが駆動されて、前記吸気弁または排気弁の開動作が行われる内燃機関の弁駆動装置を提供する。また、前記エネルギ蓄勢装置は、蓄勢弾性体とプランジャー保持装置とからなる構成とする。
【００１４】
また、前記弁装置によって前記流体圧室の体積が減少させられて一方側のプランジャーが摺動し、前記流体駆動源及び弁駆動装置によって前記流体圧室の体積が増加されて前記プランジャー保持装置によって一方側のプランジャーが保持されると、前記弁装置によって前記流体圧室内の体積が減少し、他方側のプランジャーが該他方側のプランジャーに作用する他の蓄勢弾性体の蓄勢エネルギによって摺動され、以って前記吸気弁あるいは排気弁の閉動作が行われるようにすることができる構成とする。
【００１５】
本発明は、内燃機関の吸気弁または排気弁を駆動する弁駆動装置において、内部にシリンダを構成した弁本体を備え、該シリンダ内に連絡路によって連通される二つの流体圧室が形成されて該流体圧室を挟んで該流体圧室を中にして配置された、シリンダ内を摺動する一方側のプランジャーと、シリンダ内を摺動し、前記吸気弁または排気弁に接続された他方側のプランジャーとを有し、前記流体圧室の体積を増減させる流体駆動源及び弁装置を備え、一方の流体圧室の体積が増加するときに、一方側のプランジャーの摺動に伴ってエネルギが蓄勢させるエネルギ蓄勢装置を備え、流体の流出速度の制御による着座緩和機構を有する内燃機関の弁駆動装置を提供する。
【００１６】
本発明は、内燃機関の吸気弁または排気弁を駆動する弁駆動装置において、内部にシリンダを構成した弁本体を備え、該シリンダ内に連絡路によって連通される二つの流体圧室が形成されて該流体圧室を挟んで該流体圧室を中にして配置された、シリンダ内を摺動する一方側のプランジャーと、シリンダ内を摺動し、前記吸気弁または排気弁に接続された他方側のプランジャーとを有し、前記流体圧室の体積を増減させる流体駆動源及び弁装置を備え、一方の流体圧室の体積が増加するときに、一方側のプランジャーの摺動に伴ってエネルギが蓄勢させるエネルギ蓄勢装置を備え、蓄勢されたエネルギを任意の指定されたタイミングに放出および放出を停止させる蓄勢保持装置を備え、流体の流入量または流出量を制御することによってリフト量を任意に制御する内燃機関の弁駆動装置を提供する。
【００１７】
【発明の実施の形態】
以下、本発明の実施例を図面に基づいて説明する。
図１は、本発明の実施例の一部断面を含む構成図である。図２は、図１の右半分の構成を拡大して示す。内燃機関は多気筒からなり、各気筒のヘッドにはそれぞれ弁駆動装置が設けられて吸気および排気の制御がなされる。本実施例の重要な特徴の１つは複数ある弁駆動装置１００、１００´に単一の流体圧駆動源、すなわち流体ポンプ１６が設けられて、複数の弁駆動装置１００、１００´、……に対して駆動流体の供給がなされることである。
図１において、流体ポンプ１６は油管１４ａ、１４ｂにも作動油を供給することができる。
図１に示す左半分の弁駆動装置１００´は実質的に右半分に示す弁駆動装置１００の構成と同一である。よって、弁駆動装置１００の構成を図２に示し、説明を行う。
【００１８】
図２において、内燃機関の弁駆動装置１００は、弁本体１を備える。弁本体１は、中央のシリンダ８が構成される中央弁体構成部２と、その両端に設けられる端弁体構成部３、４からなり、端弁体構成部３、４と中央弁体構成部２との間に保持板２２、２３がそれぞれ配設されて、三者はボルト締めなどによって一体化されている。
【００１９】
シリンダ８（以下、内部に円筒空間を構成する構成体を意味する。円筒空間の意味で使用するときはシリンダ内という）は、そのシリンダ内の体積（容積）は可変とされ得、可変体積は、弁装置からの作動油の供給、それに基づくシリンダ８内にその一部がそれぞれ配設されて摺動可能な一方側のプランジャー（以下、ピストンを含む概念で使用する）６と他方側のプランジャー７の摺動に伴って形成される。従って、一方側のプランジャー６と他方側のプランジャー７とはシリンダ８内において端面が対向配置とされ、同一直線方向に、すなわち吸気または排気弁３１方向に摺動する。
中央弁体構成部２、すなわち弁本体１には、流体導入出路４１、４２が形成され、これらはシリンダ８内に向って開口している。
【００２０】
本実施例にあっては、流体ポンプ（Ｐ）１６で示す流体駆動源が設けられる。流体ポンプ１６は、内燃機関の始動準備が指示されると直ちに作動し、流体を体内で循環を行っており、いつでも流体を流出可能である。
流体駆動源に使用される流体としては、油、水、空気などの流体のいずれを採用し得る。以下、典型的な油を作動流体、すなわち作動油として使用する場合について説明する。
【００２１】
流体ポンプ１６の出力端には高圧の油管１５が接続され、油管１５は流体導入路４１に接続され、その途中に電磁弁１４（磁歪制御も可能）などの弁装置が配設される。電磁弁１４の弁開閉動作によって流体ポンプ１６からの作動油はシリンダ８内に流入し、また流入が止められる。
電磁弁１４および油管１５に対向する形で電磁弁２７および油管２８が設けられる。油管２８には流体導出路４２に接続され、その導出側は流体ポンプ１６の入力側に接続される。従って、シリンダ８内で作動した作動油は流体ポンプ１６によって循環され、電磁弁１４、２７によって流れが制御されることが判るであろう。電磁弁１４、２７の制御のために図示しない内燃機関の制御に関連したコンピュータ制御装置（後述する）によって作られた指示が与えられる。
【００２２】
一方側のプランジャー６は、中央弁体構成部２内の空間部４３および端弁体構成部３内の空間部４４内に、図において縦方向に、すなわち吸気弁または排気弁３１方向に向って、配設されている。一方側のプランジャー６には受け部２５が設けてあり、この受け部２５と保持板２２との間には弾性コイルバネ１０が配設してある。この弾性コイルバネ１０は、蓄勢弾性体となり、エネルギを蓄積することができる。以下、弾性コイルバネを作用の観点から開弁バネということがある。
【００２３】
一方側のプランジャー６の上端付近において係合溝４７が形成してある。そして、端弁体構成部３の空間部４４内には、電磁石１２が配設してあり、電磁石１２が作動すると電磁石１２内に設けたストッパー１１を係合溝４７方向に移動させる。ストッパー１１が係合溝４７に係合すると、その係合状態を維持する限り、一方側のプランジャー６はその停止状態がより一層に一定時間内において保持される。
【００２４】
電磁石１２の作動は、内燃機関の制御に使用されるコンピュータ制御装置によって作成された指示信号によってなされる。コンピュータ制御装置にはプログラムが組み込まれており、内燃機関についてコンピュータコントロールを行っている。
制御装置からの所定タイミングにおける蓄勢エネルギの放出指示が電磁石１２、１８に与えられると、一気に蓄勢エネルギが放出され、流体圧室９の作動油は排出不可能とされてプランジャー６、７は下方に動作して吸気または排気弁３１を開放させる。
【００２５】
他方側のプランジャー７は、中央弁体構成部２内の空間部４３ａ（空間部４３の反対側に対向して形成されている）および端弁体構成部４内の空間部４５内に、図において縦方向に、すなわち一方側のプランジャー６と同一線上に配設されている。
他方側のプランジャー７には、止め具２６が形成してあり、プランジャー７の端付近には複数の係合溝５１、５２、５３が形成してある。そして端弁体構成部４の空間部４５内には電磁石１８が配設してあり、電磁石１８が作動すると電磁石１８内に設けたストッパー１９をいずれかの係合溝５１、５２、５３方向に移動させる。ストッパー１９がいずれかの係合溝５１、５２、５３に係合すると、その係合状態を維持する限り、他方側のプランジャー７はその停止状態が保持される。
【００２６】
従って、係合溝４７とストッパー１１を含む電磁石１２、係合溝５１、５２、５３とストッパー１９を含む電磁石１８はそれぞれプランジャー保持装置の一部を構成することになり、二つのプランジャー保持装置がそれぞれ一方側のプランジャー６、他方側のプランジャー７をある所定位置に係止、すなわち停止保持させることになる。
【００２７】
プランジャー６の下降動作に伴うプランジャー７が停止位置に近づくと、電磁弁２７が一段解放し、プランジャー６の下方への移動した分の作動油は電磁弁２７から排出するため、プランジャー７は下方に移動させる動力が失われ、移動速度が低下し、そしてゼロとなることによって徐々に止められ、最終的に止め具２６と保持板２３の間、またはストッパー１９と係合溝５１、５２、５３のいずれか１つの間に大きな衝撃がなく静かに止まる（以下、緩慢動作停止という）。ここで電磁弁２７が閉じられ、流体圧室９内の作動油の排出が停止するので、プランジャー６の下方への移動も停止する。流体圧室９内の作動油は緩衝材として作用し、プランジャー６が静かに止まるよう働く。プランジャー７はプランジャー６の動きを流体圧室９の作動油を介して間接的に受ける。機械的にあるいは構造的に直接的に受けるようにしてもよい。
ここで重要なことは、前述した蓄勢弾性体とプランジャー保持装置とがエネルギ蓄勢装置１３を形成することである。
【００２８】
従って、流体ポンプ１６、電磁弁１４、２７、シリンダ８内に形成される流体圧室９は蓄勢されるエネルギを付与し、かつ開放する作用をなす。蓄勢されるエネルギの伝達は、一方側のプランジャー６を介してなされる。
他方側のプランジャー７にはこれに一体としてあるいは別体にして接続された弁ステム３３が設けられており、弁ステム３３の先端には吸気または排気弁３１（以下、まとめて吸（排）気弁ということがある）が設けられる。
【００２９】
内燃機関の一部に保持板２４が設けてあり、また弁ステム３３にも保持板２５が設けてある。これらの保持板２４、２５の間に弁ステム３３を囲む形で他の弾性コイルバネ２１が配設してある。この弾性コイルバネ２１は、蓄勢弾性体となり、エネルギを蓄勢することができる。以下、この弾性コイルバネを作用の観点から閉弁バネということがある。
閉弁動作は上記開弁動作と同様に、ストッパー１９および電磁弁２７の動作によって行い、また電磁弁２７の開閉タイミングおよび閉じる速度を制御によって緩慢着座を実現する。閉弁動作の詳細について後述する。
【００３０】
吸気弁または排気弁３１は弁座３２に着座している状態から、弁ステムすなわち本図の場合、上方側のプランジャー７の下方移動に伴って弁座（バルブシート）３２との間が開放される。またプランジャー７の上方移動に伴って吸気弁または排気弁３１は弁座３２に着座するに至り、閉じられる。吸入した空気あるいは排気ガスは、吸気管あるいは排気管３４内を流れる。その流れは吸気弁または排気弁３１によって制御される。
ここで重要なことは、前述した蓄勢弾性体とプランジャー保持装置とがエネルギ蓄勢装置１３を形成することであり、エネルギ蓄勢装置１３は一時的にエネルギを蓄勢し、一気に放出することができるということである。
【００３１】
次に検討したバネ諸元、油圧の設計について説明する。
１．開閉弁の所要時間
図３に実測のディーゼルエンジンＮＦＤ１３（ヤンマー株式会社製ディーゼル機関、単気筒排気量６３８ｃｃ、圧縮比１７．７、下の計算はこれをベースとする）の排気弁リフトとクランク角の関係を示す。排気弁は排気下死点前約２５クランク度から開くことが判る。
開弁と閉弁はそれぞれ約７０クランク度、１１０クランク度がかかる。回転速度を考慮してこれを開閉弁の所要時間に換算する。
2004263582.tif 000003
【００３２】
２．排気弁の開弁時にバルブに働くガス圧力
図４に正味平均有効圧力０．６ＭＰａ（ほぼ全負荷）の場合のエンジンの気筒内圧力実測値を示す。排気弁の開弁は排気下死点前約２５クランク度である。このときの気筒内圧力は０．３０６ＭＰａである。過給の場合や早期開弁を考慮して約１．８の安全ファクターを設けると、バルブ表面の圧力は最大で０．５５１ＭＰａとする。
排気弁直径は３１ｍｍ、面積７５４ｍｍ２から計算すると、排気弁表面に最大４０７Ｎのガス圧力が作用する。
【００３３】
３．バネ諸元の計算
▲１▼閉弁バネ２１（弾性コイルバネ、着座保持バネ）
実測によると、上記ディーゼルエンジンＮＤＦ１３の排気バルブバネの諸元は線径３．００ｍｍ、有効巻数６、中心径２１．０ｍｍ、自由長４２ｍｍ、バネ定数１４．３Ｎ／ｍｍ、プリテンション４．８０ｍｍ、予圧６８．６Ｎ、フルリフト（４．５０ｍｍ）時の荷重１３３Ｎになっている。
（バネ係数はカトウスプリングコンプレーション荷重計算アプリケーション（インターネット版）より計算、以下同）
電磁駆動弁や油圧駆動弁の場合、ロックアームやプッシュロードがないので、着座保持力が確保できれば、閉弁力をある程度削減してもよいと考え、着座保持バネの諸元を次のように変更する。
線径３．００ｍｍ                      →  ２．３０ｍｍ
有効巻数６                            →  変らず
中心径２１．０ｍｍ                    →  変らず
自由長４２．０ｍｍ                    →  ５０．０ｍｍ
バネ定数１４．３Ｎ／ｍｍ              →  ４．９４Ｎ／ｍｍ
プリテンション４．８０ｍｍ            →  １２．８ｍｍ
着座保持力６８．６Ｎ                  →  ６３．２Ｎ（ほぼ変らず）
フルリフト（４．５０ｍｍ）荷重１３３Ｎ→  ８５．４Ｎ
【００３４】
▲２▼蓄勢弾性コイルバネ１０（開弁バネ）
開弁バネおよび閉弁バネの弾性力はそれぞれＦ１およびＦ２、弁に働くガス圧力はＦｇとすれば、開弁条件をＦ１＞Ｆｇ＋Ｆ２であるため、開弁初期Ｆ１＞４７０Ｎとなる。同様にフルシフト条件をＦ１＞Ｆｇ＋Ｆ２とすると、開弁末期Ｆ１＞８５．４Ｎとなる。
従って、開弁バネは次のように設計できる。
線径３．５０ｍｍ
有効巻数５
中心径２１．０ｍｍ
自由長４０．０ｍｍ
バネ定数３１．８Ｎ／ｍｍ
プリテンション１０．０ｍｍ
予圧力４６１Ｎ（開弁初期）
フルリフト荷重３１８Ｎ（開弁末期）
よって、上記開弁条件がほぼ満足できる。
【００３５】
４．弁の運動解析
図５において、開弁バネと閉弁バネのバネ係数はそれぞれｋ１とｋ２、バルブとバネの全質量はｍ、摩擦力はｆ＝ｃ（ｄｘ／ｄｔ）（ｃは定数）、バネ定数ｋ＝ｋ１−ｋ２とする。また、弁の背圧は弁が開いた瞬間、ガス圧力と同じとなると仮定して、弁の運動に影響しないとする。
以上より、弁の運動方程式は
【数１】
2004263582.tif 000004
【００３６】
すなわち、
【数２】
2004263582.tif 000005
となる。
【００３７】
これの一般解は
【数３】
2004263582.tif 000006
となる
開弁初期条件ｔ＝０のとき、ｘ（ｔ）＝０．０１４５ｍ（プリテンション１０ｍｍ＋フルリフト４．５ｍｍ）、ｄｘ／ｄｔ＝０により、Ｃ１＝０．０１４５、Ｃ２＝０．０１４５ｕ／ωが求められる。
【００３８】
従って、開弁時のリフト（変位）と時間の関係は次の式より計算される。
【数４】
2004263582.tif 000007
【００３９】
同様に、閉弁の初期条件ｔ＝０のとき、ｘ（ｔ）＝０．０１７３ｍ（プリテンション１２．８ｍｍ＋フルリフト４．５ｍｍ）、ｄｘ／ｄｔ＝０により、Ｃ１＝０．０１７３、Ｃ２＝０．０１７３ｕ／ωが求められるので、閉弁時のリフト（変位）と時間の関係は次の式より計算される。
【数５】
2004263582.tif 000008
【００４０】
数４および数５を時間に対して微分をすれば、開閉弁速度が得られる。また、弁に働くバネの力は次のようになる。
【数６】
2004263582.tif 000009
【００４１】
静摩擦力ｃを２０Ｎと仮定し、また、ＮＦＤ１３の排気バルブの質量は５８．２ｇであるが、バネやプランジャーと合わせて、運動系の全質量を１５０ｇとする。また、エンジン回転速度は３０００ｒｐｍとする。
【００４２】
排気弁についての計算結果の一例を図６に示す。
破線は本実施例のクランク角と排気弁リフトの関係で、対応するために、すでに図３に示した従来のカム式の排気弁リフトも併せて実線で示す。同様の開弁期間において、従来のカム式に比べて、本発明のリフトの立ち上がりが早く、すなわち、開弁速度は高い。この速度は従来の電磁駆動式に匹敵のもので、エンジンの回転速度は３０００ｒｐｍ以上にも応用できると考える。これは油圧を利用しながら開弁の力が蓄勢した開弁バネによって供与する本実施例の駆動方式こそ実現できる早さで、従来の油圧を直接利用する駆動方式は同様の開弁速度を達成するために、後述のように、極端に大きな作動油供給速度が必要となる。
同図から本発明の実施例の場合、開弁または閉弁の終了時のリフトの不連続点が存在する。これは弁の開閉が終了するとき衝撃の発生を意味する。この衝撃は、後述の作動油の減速、またはシリンダ８の体積の変化速度の制御によって消去できる。
【００４３】
５．油圧、油室体積および流速の検討
流体圧室の油圧を６ＭＰａ、プランジャー直径を１４ｍｍで仮定すると、プランジャー端面積は１．５４ｃｍ２、圧力は９２０Ｎである。これは開弁バネを圧縮するのに充分な値である。
【００４４】
作動油の充填量はフルリフト４．５ｍｍで計算すると０．６９３ｃｍ３である。すなわち、吸（排）気弁を開弁するために、上記約０．７ｃｍ３の作動油をシリンダ８の中に注入またはシリンダ８から排出させなければならない。従来の油圧を直接利用する駆動装置の場合、弁の開閉速度は作動油の注入または排出の速度によって決まる。このため、従来の油圧駆動装置は高い開弁速度を得られるために、非常に大きな流量で作動油を供給せざるを得ない。例えば、図６に示す電磁駆動弁と同等な開弁速度を達成させるために、表１に示す開弁速度と作動油供給流量の計算結果のように３００００ｃｍ３／ｍｉｎの流量が必要である。この流量を内径２．５ｍｍのパイプを用いて供給する場合、作動油の流速は１０．２ｍ／ｓｅｃに達してしまう。この流量および流速は作動油供給ポンプ１６にとって負担は大きく、パイプ内の流動損失も増加する。これに対して、本発明の実施例において、開弁は開弁バネに蓄勢した弾性力によるもので、開弁速度はシリンダ８への作動油充填速度と関係せず、上記と同様に０．７ｃｍ３の体積を時間をかけて供給することができる。例えば、表１に示すように、弁が開いている期間に充填すれば作動油の供給流量は５０００ｃｍ３／ｍｉｎで、流速は１．７ｍ／ｓｅｃである。これは従来の油圧駆動装置に比べて、１／６となる計算である。また、弁が閉じている期間は開いている期間より約３倍長いので、流量と流速は更に低減でき、充填流量および流速は従来技術の１／１７で十分である。
【００４５】
以上のことから本発明は、開弁力を作動油の圧力でバネに蓄えてから放出するという弁駆動方式は急峻な開弁を実現しながら、開弁速度と作動油の充填速度は直接関係しないので駆動の動力源となるポンプのエネルギ消費は少ない。
【００４６】
【表１】
2004263582.tif 000010
（表１に開弁時間は１．４ｍ／ｓｅｃ（３０００ｒｐｍ、２５クランク度に相当する時間）とし、シリンダ８への充填量は０．７ｃｍ３、シリンダ８に接続するパイプ１５および電磁弁のオリフィスの内径は２．５ｍｍとする場合、従来油圧駆動弁と本発明の実施例の作動油流量と流速の比較例を示す。）
【００４７】
次に図７から図１１を使用して開閉弁動作、特に急峻開動作および緩閉動作について順を追って説明する。
図７は開閉弁動作を説明するに当って、図２に示す構成を判りやすい平易な図としたものである。図２に示す構成の中で重要な構成については同一の番号が付してある。
【００４８】
図８は開弁始動動作を示す。指令により電磁弁１４が開放されて流体ポンプ１６から作動油がシリンダ８内の流体圧室９に流れて（１）、流体圧室９内の体積を増加させる。この場合に、他方側のプランジャー保持装置は係合状態とされ、他方側のプランジャー７は移動しない。一方側のプランジャー保持装置は非係合状態とされていたので、一方側のプランジャー６は、図に示すように、上昇する（２）。これに伴って蓄勢弾性コイルバネ１０は圧縮され、エネルギが蓄勢されていく。エネルギの蓄勢が完了した段階では指令によって電磁石１２が閉電作用し、ストッパー１１が左へ作動して（３）係合溝４７に係合するに至る。ストッパー１１は自己回復のバネが内蔵されて、ソレノイド１２に通電すると右へ動き、閉電するとバネの力で左へ回復する。この状態になると電磁弁および係合装置によるプランジャー保持装置が作動している状態となってプランジャー６は静止が保持される。すなわちエネルギが保持された状態となる。
【００４９】
図９において、電磁弁１４が閉じ（４）、電磁石１２、１８の通電作用によってストッパー１１、１９が右方向に作動する（５）、（６）と、係合がはずれた状態となる。すなわちプランジャー保持装置が無拘束となる。すると、蓄勢弾性コイルバネ１０に蓄勢されたエネルギによって、すなわち蓄勢弾性コイルバネ１０が伸長することによって素早く一方側のプランジャー６が下方に動く（７）。これに伴って、流体圧室９の作動油は圧縮力が与えられて（８）、その力を他方側のプランジャー７に伝達する。この時に電磁弁２７は閉じている。
【００５０】
他方側のプランジャー７は下方に移動し（９）、吸気弁または排気弁３１を弁座３２から離間させる。すなわち吸気弁または排気弁３１が蓄積されたエネルギによって開放される（１０）。この場合に注目されるのは、エネルギの蓄積が最も大きなときが弁開放の動作に使用されるということである。この動作が従来の電磁力によって駆動する弁開放動作と異なる。蓄勢エネルギの大きさは蓄勢弾性コイルバネによって定められ、蓄勢エネルギの大きさによって弁開放の急峻さが定まる。開弁の終了直前に電磁弁２７の開閉によって開弁の衝撃が緩和される（１０ａ）。
【００５１】
図１０、図１１は弁閉動作を示す。および、図１２は開閉弁動作のタイムチャートを示す。図１０において、電磁弁１４は再び開き（２回目）（１１）、作動油が流体圧室９内に導入される。この状態では他方側のプランジャー７は作動油の作用によって吸気弁または排気弁３１を開放しており、流体圧室９内の作動油の増加、すなわち流体圧室の体積の増加に伴って無拘束であった一方のプランジャー６は上昇し（１２）、蓄勢弾性コイルバネ１０は圧縮されてエネルギを蓄勢する。ある一定位置まで来ると、係合溝４７とストッパー１１とは係合可能な位置関係となり、電磁石１２の閉電作用によってストッパー１１は左方向に動作して（１３）両者の係合がなされる。この状態になると、プランジャー保持装置によってプランジャー６は停止位置が保持されるに至る。また、上記作動油の再充填（１１）、（１２）は閉弁動作（１５）、（１６）、（１７）の後に行ってもよい。
【００５２】
図１１において、電磁弁２７が開放され（１４）、流体圧室９内の作動油が導出されると、電磁弁１４は閉じられているので、蓄勢弾性コイルバネ２１に蓄勢されたエネルギによって、すなわち蓄勢弾性コイルバネ２１が伸長することによって他方側のプランジャー７は上昇に動作するに至る（１５）。この上昇に伴って、吸気弁または排気弁３１は上昇する。これによって吸気弁または排気弁３１の閉動作が行われる。また、この上昇に伴って、もっとも下部の係合溝５１とストッパー１９とは係合可能位置状態、すなわち吸気弁または排気弁３１は弁座３２に着座する状態となり、この状態で電磁石１８が閉電作用し、ストッパー１９が左へ動作し（１６）、ストッパー１９を当該係合溝に係合させる。これによってプランジャー保持装置が作動状態となる。
【００５３】
閉電動作の直前に電磁弁２７はコンピュータより指示を受け、制御された速度で閉じる。すると、作動油の流出速度が制御され、緩慢な着座を行う（１６ａ）。
最終的に電磁弁２７が閉じられる（１７）。
【００５４】
次に、吸気弁または排気弁３１を閉動作させるに当って図９に示される動作に移行し、順次図９〜図１１に示される状態が繰り返されて弁の開閉動作が連続してなされることになる。
以上のように、吸（排）気弁の開弁動作および閉弁動作をまとめてみると次のようになる。エンジンが始動後最初の開閉弁はＡからＣまで動作する。それ以降の開閉弁はＢからＣまでの繰り返しである。
【００５５】
開弁始動動作Ａ（図８）
→電磁石１２が閉電
→電磁弁１４が開、高圧油充填（１）
→開弁バネ（蓄勢弾性コイルバネ）１０が圧縮（２）
→ストッパー１１がロック（３）
→電磁弁１４が閉（４）
【００５６】
開弁動作  Ｂ（図９、図１０）
→電磁石１８が通電
→ストッパー１９が開放（５）
→電磁石１２が通電
→ストッパー１１が解放（６）
→開弁バネ１０が伸び、一方側のプランジャー６と他方側のプランジャー７が同時に下方に移動（７）、（８）、（９）、吸（排）気弁３１が開（１０）
→閉弁バネ２１が圧縮
→電磁弁２７は一瞬だけ開閉（開弁衝撃の緩和のため）（１０ａ）
→電磁石１８が閉電
→ストッパー１９がロック
→他方側のプランジャー７が運動停止
→電磁弁１４開、高圧油充填（１１）
→開弁バネ１０が再び圧縮
→一方側のプランジャー６が上方に移動（１２）
→電磁石１２が閉電
→ストッパー１１がロック（１３）
→一方側のプランジャー６が運動停止、次回の開弁に備える
→電磁弁１４が閉
【００５７】
閉弁動作  Ｃ（図１０、図１１）
→電磁弁２７が開、油圧が低下（１４）
→電磁石１８が通電
→ストッパー１９が解放
→閉弁バネ２１が伸びる
→他方側のプランジャー７が上方に移動（１５）、（１６）、油排出、吸（排）気３１弁が閉
→電磁弁２７は制御された速度で閉じる（着座衝撃緩和のため）（１６ａ）
→電磁石１８が閉電
→ストッパー１９がロック（１７）
→電磁弁２７が閉（１８）
→他方側のプランジャー７は運動停止、次回の開弁に備える
【００５８】
内燃機関の吸（排）気弁の動作は間歇式なので、弁の動作しない期間を利用して、ゆっくり高圧油を充填して開弁バネ１０を圧縮する。高圧油の充填速度が低いので、流動損失が少ない。その結果、大型作動油供給装置を必要としなく、高圧の流体ポンプ１６と高圧の油管１５と高圧の電磁弁１４の軽量化ができる。例えば、流体ポンプ１６の吐出量は一対の吸（排）気弁において、１８００ｃｍ３／ｍｉｎあれば充分とされる。これは高速タイプの直接式油圧駆動弁に使用されるポンプに比べて約１／１７の流量で済むことを意味する（表１参照）。
【００５９】
開弁バネ１０がゆっくり圧縮された後、ストッパー１１の解放によって、蓄積したエネルギを一気に放出するので、流体圧室９に充填された作動油を介して、一方側のプランジャー６と他方側のプランジャー７が同時に下方へ移動させる大きな加速度が得られる。その結果、弁開動作は非常に速い。また、開弁初期に開弁バネ１０がもっとも圧縮された状態にあり、弾性力は最大である。これは開弁初期にもっとも力を必要とする内燃機関の開弁特性に一致しているので、本発明の動作原理および機構は合理的なものである。
【００６０】
一方側のプランジャー６と他方側のプランジャー７が下方に移動し始めると、吸気または排気弁３１が開き始め、次第に吸気または排気弁３１と弁座３２との間にすき間ができ、内燃機関の吸（排）気が開始する。このままにすると、吸気または排気弁３１が所定のもっとも下方の位置まで進み、最大リフトに達する。吸気または排気弁３１が下方に移動する途中の任意の時間に電磁石１８を閉電させると、ストッパー１９がロック位置に動作し、吸気または排気弁３１が最大リフトに達する前に運動が停止する。これによって吸気または排気弁３１のリフト量を制御する。
【００６１】
吸気または排気弁３１の閉弁が開始すると、流体圧室９の作動油が油管２８を経て電磁弁２７から排出される。電磁弁２７は流量調整できるタイプの電磁弁である。閉弁初期に電磁弁２７を全開させ、後期に所定の速度で徐々に絞る。これによって、吸気または排気弁３１が閉弁初期に作動油の抵抗をほとんど受けず、迅速に閉弁する。後期になればなるほど、作動油の絞り損失による抵抗が大きくなり、吸気または排気弁３１の閉弁速度が低下する。これによって、吸気または排気弁３１が着座する際に弁座３２との衝突が緩和される。
【００６２】
図１３は、本実施例の制御装置を示す。図において、コンピュータの処理装置８０は各種の計算を行うことができる。処理装置８０にはマップデータベース８１からエンジンのマップデータが送られてくる。また、処理装置８０には運転状況入力処理器８２、クランク角入力処理器８３が接続される。運転状況入力処理器８２にはエンジン排ガス情報、エンジンの出力情報、エンジンの各部温度情報が入力され、クランク角入力処理器８３にはクランク角信号、上死点信号が入力され、それぞれ処理装置８０に送られる。
【００６３】
処理装置８０では、上記入力情報に基づき、エンジンの運転状況を瞬時に割り出し、マップデータベースから送られたマップデータと比べて、蓄圧開始時期、蓄圧終了時期、開弁開始時期（蓄勢エネルギ解放時期）、開弁速度制御、開弁終了時期、閉弁開始時期、閉弁速度制御、閉弁終了時期、リフト量について計算処理する。また、これらの計算が、マップデータベースから伝送されたマップデータ以外に、エンジンの運転者の指令データを直接取り込み計算することもできる。計算処理されて出力された制御信号は、パワアンプ８４〜８７に出力される。
【００６４】
パワアンプ８４は電磁石１２に、パワアンプ８５は電磁弁１４に、パワアンプ８６は電磁石１８に、そしてパワアンプ８７は電磁弁２７にそれぞれ接続されており、これらの装置について前述した通りの動作を行うべく作用する。
【００６５】
図１４から図２０は本発明の第２の実施例を示す。本実施例は実施例１と比較して、弁リフトが連続して制御できることと開弁または閉弁末期の緩慢運動が自動的に実現できる特徴がある。図１４から図１８は先の実施例の図７から図１１にそれぞれ対応する。同一の構成には同一の番号を付し、説明は先の実施例の説明を準用し、変更した部分について重点的に説明する。
【００６６】
図１４において、先の実施例に比べると、流体圧室９は上方側にある流体圧室９Ａと下方側にある流体圧室９Ｂとに分けられている。そして両者を連絡する連絡路７２がシリンダ８の肉厚部に形成してある。流体圧室９Ａの壁にある流体圧室９Ｂへの連絡通路７２の位置はプランジャー６の通り道にあるので、プランジャー７が上下移動するとき、連絡路７２の上側の連絡開口部７３との間では徐々に開口が増減され、また全面開放、全面閉塞される関係が形成される。ただし、ポンプ１６に接続する入口側の開口部７５の開口は閉塞することはない。
【００６７】
同様に、下側の流体圧室９Ｂの開口部７４は閉塞することはない。流体圧室９Ｂの出口側の開口部７６の位置はプランジャー７の上下移動の通り道にあるので、プランジャー７の移動に伴って開口面積が増減する。このような開口部７３および開口部７６の面積の変化によって、流体の流出の速度が変化する。これによって開弁または閉弁末期の弁の動作速度を制御する。
【００６８】
一方側のプランジャー６の下方の端面は傾斜した端面を有する。プランジャー６はシリンダ８に沿って上下方向に摺動できると同時に円周方向に回旋運動を利用して、弁のリフトを制御する。
【００６９】
例えば、図２２（ａ）に示すように、プランジャー６の端の傾斜を右に向ける場合、下方に破線で示す位置まで移動できるので、移動距離はＳ１である。図２２（ｂ）は実際Ｓ１だけの距離を移動した様子を示す。プランジャー６がこの位置に達すると開口部７３は完全に閉塞されるので、それ以上下方へ移動できない。プランジャー６を回旋させ、端面の傾斜を右から左に向かせると、図２２（ｃ）、（ｄ）に示すように、Ｓ２しか下へ移動できない。Ｓ１に比べて、Ｓ２は傾斜角に比例して短いので、流体圧室９Ａから送り出す流体の体積は、右に傾いて傾斜の場合に比べて左に傾いて傾斜のほうが少ない。すなわち、リフト量は少ない。プランジャー６を任意角度（０〜１８０度）に回旋させればリフトは任意に設定できることになる。一方側のプランジャー６の最上端にはリフト制御用の歯車７１が設けてあり、コンピュータ８０（図２１）の指令によって任意の角度を回旋させればリフトを任意に調整できる。
連絡路７２には開閉可能な弁６２が設けられた電磁弁６１が設けられて、一方側のプランジャー６の動きを保持できるプランジャー保持装置６０が構成される。
【００７０】
図１５は、エンジン始動状態を示す。この状態にあっては、電磁弁１４は開放され、電磁弁６２が閉じられて、流体圧室９Ａ、９Ｂの連絡が遮断される別々の流体圧室を形成するようになっている。このようにプランジャー保持装置６０の動作に伴って、前述したと同じように作動油充填動作（１）、（２）が形成される。
【００７１】
図１６の開弁動動作に移行すると、電磁弁１４は閉じられ（４）、プランジャー保持装置６０の弁６２は開放され（５）、蓄勢された開弁バネ１０の弾性力によって流体圧室９Ａ内の流体が開口部７３から連絡通路７２を経由して、流体圧室９Ｂに流動する。これに伴ってプランジャー６は下降動作を開始する。一方、他方側のプランジャー７は、図９と同様に下降動作がなされる。これによって前述したと同じように開弁動作（７）、（８）、（９）が形成される。プランジャー６の下降の初期に流体圧室９Ａと開口部７３との開口度合は全開状態で、流体の流出速度は早く、吸（排）気弁３１の開弁速度も速い。開弁の末期に、プランジャー６が徐々に開口部７３を塞ぎ、開口度が狭まり、ついには図１６に示すように完全に閉塞されるに至る。この状態になる経過において、下降を継続していた一方のプランジャー６は流体圧室内の作動油の流出速度を徐々に落とし、プランジャーの下降は緩慢に停止に至る。従って、衝撃音は発せられないか、極めて小さいものとなる。
【００７２】
図１７の閉弁動作に移行すると、電磁弁２７は開放され（１７）、プランジャー保持装置６０の弁６２は閉じられて（１８）、流体圧室９Ｂの作動油は排出されて体積を減少させ、プランジャー７は上方に動作する。前記開弁過程と同様に閉弁初期に流体圧室９Ｂの開口部７６は全開の状態であり、流体が早く排出でき閉弁の速度は速い。末期には開口部７６が徐々に閉塞され、吸気または排気弁３１の閉度速度は低下していく。すなわち、プランジャー７は、制御された速度となって吸気または排気弁の緩慢閉塞が完了されることになる。
【００７３】
このように、プランジャー保持装置６０の作用でプランジャー７は停止を継続する。そして、更に図１８に移行すると、電磁弁２７は閉じられ、電磁弁１４から作動油が流体圧室９Ａに供給されて、プランジャー６が上昇し、開弁バネ１０にエネルギが蓄勢される。このようにして、先の実施例である図１１、図１３と同様にして動作（１５）、（１６）が形成される。
プランジャー６は運動停止し、次回の開弁に備える。保持装置６０は本実施例においてシリンダ８の肉厚部に組込んだ電磁弁である。
【００７４】
図１９に示す動作ブロックチャートおよび図２０に示す弁動作タイムチャートによって開弁バネ１０および閉弁バネ２１による蓄勢状況、吸（排）気弁３１の開閉動作状況を工程毎に、そして時間の経過と共に説明する。
【００７５】
図１６について：
→プランジャー保持装置６０の電磁弁６１が解除（電磁弁６０が開）
→開弁バネ１０が伸び
→プランジャー６が下方移動
→流体圧室９Ａの作動油が流体圧室９Ｂに流れる
→プランジャー７が下方移動
→閉弁バネ２１が圧縮
→吸（排）気弁３１が開弁開始
→開口部７３の入口面積が減少
→作動油の排出速度が低下
→吸（排）気弁の開弁速度が低下
→開口部７３の入口面積がゼロとなる
→吸（排）気弁３１が制御された速度で開弁完了
【００７６】
図１７について：
→電磁弁２７が開
→作動油が排出
→閉弁バネ２１が伸び
→プランジャー７が上方移動
→吸（排）気弁３１が閉弁開始
→開口部７６の面積が減少
→作動油の排出速度が低下
→吸（排）気弁３１の開弁速度が低下
→開口部７６の面積がゼロになる
→吸（排）気弁が制御された速度で閉弁完了
→プランジャー保持装置６０の電磁弁６１が閉（電磁弁６０は閉）
【００７７】
図１８について：
→電磁弁１４が開
→作動油が充填
→プランジャー６が上方移動
→開弁バネ１０が圧縮（蓄勢）
→歯車７１が回転
→開口部７３までのストロークが変化
→リフト量が制御
電磁弁６０の開閉を制御することによって流体圧室９Ａから９Ｂへ送る作動油の量を制御し、リフト量を制御することもできる。
【００７８】
図２１に示す制御装置は第１の実施例の制御装置と実質的に同一である。従って、説明は先の説明を準用する。
図２３は、本実施例と従来技術との開弁力および緩慢動作の効果の比較を示す。
【００７９】
従来の電磁駆動弁にあっても電磁力を強烈にすることによって開弁力を増すことが可能と考えられる。これによって図に示すように高速な開弁動作を行うことはできると推定されるが、開弁力の大きさは従来の電磁駆動弁にあっては開弁当初の開弁力を更に増加させる作用となる。これに伴った吸気または排気弁３１を静かに止めることに困難さを引き起こす原因を発生させる。
【００８０】
これに対して、本実施例によれば、流体圧室の増加によってエネルギを一時的に蓄え、指令によって一気に放出する方式であるので、放出時のエネルギを開弁バネの設計によって任意に大きくすることができ、放出後は蓄勢エネルギは小さくなって行くので、前記緩慢動作の働き効果と併せて、吸気または排気弁３１を止めるときの動作を緩慢として静かに止めることができるようになる。
【００８１】
吸気または排気弁３１の閉弁動作についても同様に、従来の電磁駆動弁にあっては閉弁当初の閉弁力を更に増加させる作用となる。これに伴って吸気または排気弁３１を静かに止めることに困難さを引き起こす原因を発生させる。
【００８２】
これに対して、本実施例によれば、閉弁バネによる閉弁動作開始後は蓄勢エネルギは小さくなって行くので、前記緩慢動作の働き効果と併せて、吸気または排気弁３１を止めるときの動作を緩慢として静かに止めることができるようになる。
【００８３】
本実施例は、開弁に必要充分な力を作動油の充填によって開弁バネに弾性エネルギとして蓄積させる機構と、前記開弁バネに蓄積した弾性エネルギを任意のタイミングに放出させることによる開弁機構と、前記開弁バネに蓄積した弾性エネルギの放出を任意のタイミングに停止させることによるリフト制御機構と、前記開弁バネの弾性エネルギの放出による閉弁用の力を弾性エネルギとして蓄積できる閉弁機構と、前記開弁機構を兼用する前記閉弁バネに蓄積した弾性エネルギを任意のタイミングに放出させることによる閉弁機構と、前記作動油を充填や排出するためのポンプおよび流量の制御による閉弁速度の制御機能を有する作動油機構と、上記装置を制御する電子制御機構より構成している。
【００８４】
以上のように、内燃機関の吸気弁または排気弁３１を駆動する弁駆動装置において、内部にシリンダ８を構成した弁本体１を備え、シリンダ８内に流体圧室９が形成されて流体圧室９を挟んで流体圧室９を中として対向配置された、シリンダ８内を摺動する一方側のプランジャー６と、シリンダ８内を摺動し、吸気弁または排気弁３１に接続された他方側のプランジャー７とを有し、流体圧室９の体積を増減させる流体駆動源、例えば流体ポンプ１６及び弁装置、例えば電磁弁１４、２７を備え、個別の二つの蓄勢弾性体、例えば開弁バネ１０、閉弁バネ２１と、双方のプランジャー６、７をそれぞれ所定の位置に停止させ、それぞれのプランジャーの停止を解除させる個別の二つのプランジャー保持装置６０とを有し、プランジャー保持装置６０がそれぞれ蓄勢弾性体に組み合わされたエネルギ蓄勢装置１３を備え、エネルギ蓄勢装置１３は、流体圧室９の体積が増加するときに、一方側のプランジャー６の摺動に伴ってエネルギを一方の蓄勢弾性体に蓄勢すると共に、一時エネルギを保持し、一方のプランジャー保持装置によるプランジャーの停止解除がなされたときに、一方の蓄勢弾性体に蓄勢されたエネルギによって一方側のプランジャー６が摺動され、これに伴って間接もしくは直接に他方側のプランジャー７が駆動されて、吸気弁または排気弁３１の開動作が行われ、かつ他方の蓄勢弾性体にエネルギが蓄勢される内燃機関の弁駆動装置１００が構成される。
【００８５】
そして、他方側のプランジャー７に組み合わされたプランジャー保持装置は、複数の保持位置を設置し、その内の１つに一方側のプランジャー６もしくは他方側のプランジャー７を保持する内燃機関の弁駆動装置１００が構成される。
そして、流体駆動源は流体ポンプ１６であり、複数の弁駆動装置１００、１００´、……についての単一の流体駆動源である内燃機関の弁駆動装置１００が構成される。
【００８６】
内燃機関の吸気弁または排気弁３１を駆動する弁駆動装置において、内部にシリンダ８を構成した弁本体を備え、シリンダ８内に連絡路によって連通される二つの流体圧室９Ａ、９Ｂが形成されて流体圧室９Ａ、９Ｂを挟んで対向配置された、シリンダ８内を摺動する一方側のプランジャー６と、シリンダ８内を摺動し、吸気弁または排気弁３１に接続された（直接間、接的接続を意味する）他方側のプランジャー７とを有し、流体圧室９Ａ、９Ｂの体積を増減させる流体駆動源及び弁装置を備え、一方の流体圧室の体積が増加するときに、一方側のプランジャー６の摺動に伴ってエネルギが蓄勢させるエネルギ蓄勢装置１３を備え、蓄勢されたエネルギを開放させる指示を付与する制御装置を備え、当該指示がなされたときに、エネルギ蓄勢装置１３に蓄勢されたエネルギによって一方側のプランジャー６が摺動され、これに伴って間接もしくは直接に他方側のプランジャー７が駆動されて、吸気弁または排気弁３１の開動作が行われ、一方の流体圧室と開口部７３と開口度合が徐々に閉じられるようにされた内燃機関の弁駆動装置１００が構成される。また、この場合に、連絡路７２に開閉可能な弁を設けてプランジャー保持装置を構成することができる。
【００８７】
本実施例の吸気または排気弁を駆動する力は電磁力ではないため、大きな電流を必要としない。しかし、一部に電磁力を採用することは差しつかえがない。
本実施例の吸気または排気弁駆動装置に高温となる弁ステム３３に永久磁石を固定していないので、高温の影響はほとんど受けない。
【００８８】
実施例１および２において、対向配置されたプランジャー６およびプランジャー７は任意の角度で配置できる。
実施例１および２において、すべての電磁弁と呼ばれる装置は磁歪によって動作してもよい。
実施例１および２において、すべてのバネと呼ばれる蓄勢体は、気体、液体、固体のいずれまたはその組み合わせを使用してもよい。
【００８９】
以上のように、本実施例の吸気または排気弁の弁駆動装置は、吸気または排気弁の開弁初期に充分な開弁力を容易に発生でき、吸気または排気弁が迅速に開閉でき、吸気または排気弁の着座衝突が緩和でき、吸気または排気弁のリフト量を制御できる。高温の排気弁にも適用でき、吸気または排気弁の駆動時に大電流を必要としない特徴を有する。
【００９０】
【発明の効果】
本発明によれば、小さな駆動源を使用して吸気弁または排気弁の開弁初期に大きい駆動力を発生させて開弁を急峻動作させ得る制御の容易な内燃機関の吸気弁または排気弁を駆動する駆動装置を提供することができる。
また、本発明によれば、小さな駆動源による駆動力と開閉弁に必要な力が調和した駆動力の供給、迅速なバルブ開閉、制御できる着座速度、制御できるリフト量、高温の排気弁にも有効に適用できる内燃機関の吸気弁または排気弁を駆動する駆動装置を提供することができる。
【図面の簡単な説明】
【図１】本実施例の構成を示す構成図。
【図２】図１の右半分の構成を拡大して示す構成図。
【図３】従来のカムプロフィルを示す図。
【図４】ディーゼルエンジンの気筒内圧力の一例を示す図。
【図５】弁の運動解析用のモデルを示す図。
【図６】弁の運動解析結果を示す図。
【図７】図２に示す構成図を説明のため平易にした図。
【図８】第１の実施例の吸気または排気弁の駆動動作図で吸気または排気弁の開弁始動図。
【図９】第１の実施例の吸気または排気弁の駆動動作図。
【図１０】第１の実施例の吸気または排気弁の駆動動作図。
【図１１】第１の実施例の吸気または排気弁の駆動動作図。
【図１２】第１の実施例の弁動作タイムチャート図。
【図１３】第１の実施例の制御装置示す図。
【図１４】第２の実施例の構成を示す図（図７に対応）。
【図１５】第２の実施例の吸気または排気弁の駆動動作図で吸気または排気弁の開弁始動図（図８に対応）。
【図１６】第２の実施例の吸気または排気弁の駆動動作図（図９に対応）。
【図１７】第２の実施例の吸気または排気弁の駆動動作図（図１０に対応）。
【図１８】第２の実施例の吸気または排気弁の駆動動作図（図１１に対応）。
【図１９】第２の実施例の動作ブロックチャート図。
【図２０】第２の実施例の弁動作タイムチャート図。
【図２１】第２の実施例の制御装置を示すブロック図。
【図２２】プランジャーの旋回によるリフト制御の動作説明図。
【図２３】本実施例と従来技術との開弁、閉弁力比較図。
【符号の説明】
１…弁本体、２…中央弁構成部、３、４…端弁体構成部、６、７…プランジャー、８…シリンダ、９（９Ａ、９Ｂ）…流体圧室、１０…蓄勢弾性コイルバネ（開弁バネ）、１１、１９…ストッパー、１２、１８…電磁石、１４、２７…電磁弁、１５…油管、１６…流体ポンプ、２１…蓄勢弾性コイルバネ（閉弁バネ）、３１…吸気または排気弁（吸（排）気弁）、３２…弁座、３３…弁ステム、６０…プランジャー保持装置、１００、１００´…弁駆動装置。
【図１】
2004263582.tif 000011
【図２】
2004263582.tif 000012
【図３】
2004263582.tif 000013
【図４】
2004263582.tif 000014
【図５】
2004263582.tif 000015
【図６】
2004263582.tif 000016
【図７】
2004263582.tif 000017
【図８】
2004263582.tif 000018
【図９】
2004263582.tif 000019
【図１０】
2004263582.tif 000020
【図１１】
2004263582.tif 000021
【図１２】
2004263582.tif 000022
【図１３】
2004263582.tif 000023
【図１４】
2004263582.tif 000024
【図１５】
2004263582.tif 000025
【図１６】
2004263582.tif 000026
【図１７】
2004263582.tif 000027
【図１８】
2004263582.tif 000028
【図１９】
2004263582.tif 000029
【図２０】
2004263582.tif 000030
【図２１】
2004263582.tif 000031
【図２２】
2004263582.tif 000032
【図２３】
2004263582.tif 000033